(57)【要約】【課題】車両用グリルシャッターにおいて、後側に配置されるラジエータの上側部分の冷却性を高くすることである。【解決手段】車両用グリルシャッター１０は、開口部２０を有する枠形状のグリルシャッター枠１２と、開口部の上側、及び下側を開閉するようにグリルシャッター枠に対し回動可能に取り付けられた上側及び下側フィン２１，２４とを含む。開口部の開放時に、下側フィンの前端が上側フィンの前端より後側に位置し、かつ、下側フィンの後端が上側フィンの後端より後側に位置する。開口部の開放時での、下側フィンの前方突出部２５ｃの前端上側端部には断面円弧形で、曲率半径が前端下側端部の下側面取り部の曲率半径より大きい上側面取り部が形成される。グリルシャッター枠は、開口部の下端側の端面に形成されて、少なくとも下側フィンの回動軸中心より前方に位置し、車両後方に向かうほど上側に傾斜する前方傾斜面３０を含む。【選択図】図３
2019104449.tif 000002
【特許請求の範囲】
【請求項１】
ラジエータの前側に配置され、車両前後方向に貫通する開口部を有する枠形状のグリルシャッター枠と、
前記開口部の上側部分を開閉するように、前記グリルシャッター枠に対し水平方向の上側回動軸を中心に回動可能に取り付けられた上側フィンと、
前記開口部の下側部分を開閉するように、前記グリルシャッター枠に対し水平方向の下側回動軸を中心に回動可能に取り付けられた下側フィンと、を備え、
前記開口部の開放時に、前記下側フィンの前端が前記上側フィンの前端より後側に位置し、かつ、前記下側フィンの後端が前記上側フィンの後端より後側に位置し、
前記下側フィンは、前記開口部の開放時に前記下側回動軸より前側に突出する前方突出部を含み、
前記開口部の開放時での、前記前方突出部の前端下側端部には断面円弧形の下側面取り部が形成されるとともに、前記前方突出部の前端上側端部には断面円弧形で、曲率半径が前記下側面取り部の曲率半径より大きい上側面取り部が形成され、
前記グリルシャッター枠は、前記開口部の下端側の端面に形成されて、少なくとも前記下側回動軸の中心より前方に位置し、車両後方に向かうほど上側に傾斜する前方傾斜面を含む、車両用グリルシャッター。
【発明の詳細な説明】
【技術分野】
【０００１】
本発明は、ラジエータの前側に配置される枠形状のグリルシャッター枠と、グリルシャッター枠に回動可能に取り付けられた上側フィン及び下側フィンとを備える車両用グリルシャッターに関する。
【背景技術】
【０００２】
特許文献１には、ラジエータの前側に配置される枠形状のグリルシャッター枠と、グリルシャッター枠に回動可能に取り付けられた複数のフィンとを備える車両用グリルシャッターが記載されている。フィンは、細長い平板状であり、モータにより回転する。上側のフィンと下側のフィンとの回転によって、グリルシャッター枠の開口部が開閉される。
【先行技術文献】
【特許文献】
【０００３】
【特許文献１】特開２０１２−１２１５１６号公報
【発明の概要】
【発明が解決しようとする課題】
【０００４】
特許文献１の図７に記載された構成では、開口部の開放時に複数のフィンが略前後方向に向くように回動し、そのときの複数のフィンの前端位置は前後方向において一致し、複数のフィンの後端位置は前後方向において一致する。ここで、エンジンと電動モータとを車両の駆動源として搭載するハイブリッド車両が知られている。ハイブリッド車両では、グリルシャッターの後側に配置されるラジエータのうち、上側部分を、エンジンの冷却のために使用し、下側部分をインバータ、コンバータ、電動モータ等の電気駆動系の要素の冷却のために使用することが考えられる。
【０００５】
また、一般的に車両では、グリルシャッターより前方の下側からグリルシャッターに向かう空気流が、グリルシャッターより前方の上側からグリルシャッターに向かう空気流より多くなるように設計される。この場合において、特許文献１に記載されたグリルシャッターを採用する場合には、下側のフィンの前端位置が上側フィンの前端位置と前後方向において同じ位置にあるので、グリルシャッターより前方の下側から後方の上側に向かう空気流が下側フィンの前側部分に衝突することで妨げられやすい。これにより、下側フィンの上側からラジエータに向かう空気流が少なくなるので、ラジエータの上側部分の冷却性を高くする面から改良の余地がある。ラジエータの上側部分の冷却性が低下する場合には、上記のハイブリッド車両のように、ラジエータの上側部分のみをエンジンの冷却に使用する場合に、エンジンの冷却性が低下する可能性がある。ラジエータの全体をエンジン冷却用に使用する場合でも、ラジエータの上側部分の冷却性が低下することで、エンジンの冷却性が低下する可能性がある。
【０００６】
本発明の目的は、車両用グリルシャッターにおいて、後側に配置されるラジエータの上側部分の冷却性を高くすることである。
【課題を解決するための手段】
【０００７】
本発明の車両用グリルシャッターは、ラジエータの前側に配置され、車両前後方向に貫通する開口部を有する枠形状のグリルシャッター枠と、前記開口部の上側部分を開閉するように、前記グリルシャッター枠に対し水平方向の上側回動軸を中心に回動可能に取り付けられた上側フィンと、前記開口部の下側部分を開閉するように、前記グリルシャッター枠に対し水平方向の下側回動軸を中心に回動可能に取り付けられた下側フィンと、を備え、前記開口部の開放時に、前記下側フィンの前端が前記上側フィンの前端より後側に位置し、かつ、前記下側フィンの後端が前記上側フィンの後端より後側に位置し、前記下側フィンは、前記開口部の開放時に前記下側回動軸より前側に突出する前方突出部を含み、前記開口部の開放時での、前記前方突出部の前端下側端部には断面円弧形の下側面取り部が形成されるとともに、前記前方突出部の前端上側端部には断面円弧形で、曲率半径が前記下側面取り部の曲率半径より大きい上側面取り部が形成され、前記グリルシャッター枠は、前記開口部の下端側の端面に形成されて、少なくとも前記下側回動軸の中心より前方に位置し、車両後方に向かうほど上側に傾斜する前方傾斜面を含む。
【発明の効果】
【０００８】
本発明の車両用グリルシャッターによれば、グリルシャッターより前方の下側から後方の上側に向かう空気流が下側フィンの前側部分及び上側フィンの後側部分で妨げられにくくなる。これにより、下側フィンより上側に向けて空気を流しやすい。さらに、グリルシャッター枠の前方傾斜面によって、後方に向かう空気流を下側から上側に多く流しやすい。さらに、下側フィンの上側面取り部の曲率半径が下側面取り部の曲率半径より大きいので、下側フィンの前端に前側から向かう空気流を下側フィンの上側に流しやすい。これによって、グリルシャッターより前方の下側から後方の上側に向かう空気流の進路の妨害が抑制されるので、グリルシャッターの後側に配置されるラジエータの上側部分の冷却性を高くできる。
【図面の簡単な説明】
【０００９】
【図１Ａ】本発明に係る実施形態の車両用グリルシャッターにおいて、開口部の開放状態を示す斜視図である。
【図１Ｂ】本発明に係る実施形態の車両用グリルシャッターにおいて、開口部の閉鎖状態を示す斜視図である。
【図２】実施形態の車両用グリルシャッターを車両に配置した状態における図１ＡのＡ−Ａ断面相当図である。
【図３】図２のＢ部拡大図である。
【図４】図３のＣ部拡大図である。
【図５】比較例の車両用グリルシャッターを車両に配置した状態における断面図（ａ）と、（ａ）のＤ部拡大図（ｂ）である。
【発明を実施するための形態】
【００１０】
以下、図面を用いて本発明の実施形態を説明する。以下で説明する形状、材料、及び個数は、説明のための例示であって、車両用グリルシャッターを含む車両の仕様等に応じて適宜変更することができる。以下では、すべての図面において同等の要素には同一の符号を付して説明する。また、本文中の説明においては、必要に応じてそれ以前に述べた符号を用いるものとする。
【００１１】
図１Ａは、実施形態の車両用グリルシャッター１０において、開口部２０の開放状態を示す斜視図である。図１Ｂは、車両用グリルシャッター１０において、開口部２０の閉鎖状態を示す斜視図である。車両用グリルシャッター１０は、後述のように、車両の前側に配置され、車両用グリルシャッター１０の後側に配置したラジエータ１００（図２）、及び空調装置用のコンデンサ（図示せず）への空気の供給と、その空気の供給の制限とを切り換えるために用いられる。以下、車両用グリルシャッター１０は、グリルシャッター１０と記載する。車両は、エンジンと電動モータとを車両の駆動源として搭載するハイブリッド車両である。
【００１２】
グリルシャッター１０は、グリルシャッター枠１２と、複数の上側フィン２１及び複数の下側フィン２４と、電動モータ（図示せず）とを備える。図２は、実施形態のグリルシャッター１０を車両に配置した状態における図１ＡのＡ−Ａ断面相当図である。図３は、図２のＢ部拡大図である。
【００１３】
図２に示すように、グリルシャッター１０は、車両の前側であって、前側バンパ１０２の車両後側に配置するように、車体に固定される。
【００１４】
車両において、前側バンパ１０２の車幅方向中間部には、車幅方向に伸びる格子状の前側グリル１０４が形成され、その前側グリル１０４によって、前側バンパ１０２に、上下に分かれた複数の開口１０５が形成される。車両の前進時には、走行風が車両前側から各開口１０５を通じてエンジンルーム１０６に供給される。エンジンルーム１０６には、エンジン（図示せず）と、エンジン冷却用の冷却水を冷却するためのラジエータ１００と、空調装置用のコンデンサとが配置される。ラジエータ１００の上側部分は、エンジンを冷却するために使用され、下側部分は、インバータ、コンバータ、電動モータ等の電気駆動系の要素を冷却するために使用される。コンデンサは、ラジエータ１００の前側に近接して配置される。グリルシャッター１０は、車両前後方向において、前側グリル１０４と、ラジエータ１００及びコンデンサとの間に配置される。
【００１５】
図１Ａに戻って、グリルシャッター枠１２は、車幅方向両側に分かれて形成され、車両前後方向に貫通する２つの開口部２０を有する枠形状である。グリルシャッター枠１２は、車両前側から見た形状及び上側から見た形状が車幅方向（図１Ａの左右方向）に長い細長の略長方形である。
【００１６】
グリルシャッター枠１２の車幅方向中間部には、上下方向の仕切り部１３が形成され、この仕切り部１３によって、グリルシャッター枠１２の内側空間が、車幅方向両側に分かれた上記の２つの開口部２０に仕切られる。各開口部２０は、車両前側から見た形状が車幅方向に長い細長の略長方形である。車両は、前側バンパ１０２の形状等により、グリルシャッター１０より前方の下側からグリルシャッター１０に向かう空気流が、グリルシャッター１０より前方の上側からグリルシャッター１０に向かう空気流より多くなるように設計される。図２では、矢印αにより、グリルシャッター１０より前方の下側からグリルシャッター１０に向かう空気流を示し、矢印βにより、グリルシャッター１０より前方の上側からグリルシャッター１０に向かう空気流を示している。
【００１７】
各開口部２０には、上側フィン２１と、下側フィン２４とが上下に並んで配置される。具体的には、上側フィン２１は、開口部２０の上側部分である上側開口部２０ａ（図２）を開閉するように、グリルシャッター枠１２に対し、水平方向である車幅方向（図２の紙面の表裏方向）に沿った上側回動軸Ｏ１（図２）を中心に回動可能に取り付けられる。下側フィン２４は、開口部２０の下側部分である下側開口部２０ｂ（図２）を開閉するように、グリルシャッター枠１２に対し、車幅方向に沿った下側回動軸Ｏ２（図２）を中心に回動可能に取り付けられる。図２では、上下方向における上側開口部２０ａの範囲を矢印Ｐ１で示し、上下方向における下側開口部２０ｂの範囲を矢印Ｐ２で示している。
【００１８】
図１Ａ、図１Ｂに示すように、グリルシャッター枠１２の車幅方向両端部の車幅方向外側には２つの柱部１４，１５が連結される。２つの柱部１４，１５の一方の柱部１４の内部には内部空間１４ａが形成され、その内部空間１４ａに、各フィン２１，２４を駆動するための電動モータ等の駆動部品が配置される。電動モータには、バッテリ(図示せず)から電力が供給される。電動モータの駆動によって、上側フィン２１及び下側フィン２４が回動する。例えば、一方の柱部１４の内部空間１４ａには、電動モータの駆動軸に連結された歯車機構が配置され、歯車機構を構成する複数の歯車の一部の歯車から車幅方向一方側のフィン２１，２４に回転動力が伝達される。車幅方向一方側のフィン２１，２４と車幅方向他方側のフィン２１，２４とは、仕切り部１３の内部に配置した車幅方向に伸びる軸部によって連結される。これにより、電動モータが駆動することで、各上側フィン２１及び各下側フィン２４が回転する。
【００１９】
上側及び下側フィン２１，２４は、車幅方向に長い細長の平板形状である。図２、図３に示すように、上側及び下側フィン２１，２４は、車幅方向と一致する、対応する回動軸Ｏ１，Ｏ２に対し直交する平面についての断面形状が略菱形である。
【００２０】
図２、図３に実線で示すように、上側及び下側フィン２１，２４のそれぞれの２つの主面２２ａ、２２ｂ、２５ａ、２５ｂが略上下方向に向くように各フィン２１，２４が回動することで、各開口部２０は開放され、フィンの空気抵抗が小さくなる。これにより、前側バンパ１０２の開口１０５を通じて車両前側から入り込んだ走行風がグリルシャッター１０の各開口部２０を通じて車両後側に送られる。このため、グリルシャッター１０の後側に位置するラジエータ１００及びコンデンサにおける冷却効率が高くなる。
【００２１】
上側フィン２１は、開口部２０の開放時に、上側回動軸Ｏ１より前側に突出する前方突出部２２ｃと、上側回動軸Ｏ１より後側に突出する後方突出部２２ｄとを含む。上側フィン２１の前方突出部２２ｃの突出長さと、上側フィン２１の後方突出部２２ｄの突出長さとは、ほぼ同じである。
【００２２】
下側フィン２４は、開口部２０の開放時に、下側回動軸Ｏ２より前側に突出する前方突出部２５ｃと、下側回動軸Ｏ２より後側に突出する後方突出部２５ｄとを含む。下側フィン２４の前方突出部２５ｃの突出長さは、下側フィン２４の後方突出部２５ｄの突出長さより短い。
【００２３】
上側回動軸Ｏ１及び下側回動軸Ｏ２の前後方向における位置は、ほぼ同じである。開口部２０の開放時に、下側フィン２４の前端は上側フィン２１の前端より所定距離Ｄ１（図３）、後側に位置する。また、下側フィン２４の後端は上側フィン２１の後端より所定距離Ｄ２（図３）、後側に位置する。これによって、後述のように、グリルシャッター１０より前方の下側から後方の上側に向かう空気流の進路の妨害が抑制される。
【００２４】
図４は、図３のＣ部拡大図である。図４に示すように、下側フィン２４について、開口部２０（図３）の開放時での、前方突出部２５ｃの前端下側端部には下側面取り部２５ｅが形成され、前端上側端部には上側面取り部２５ｆが形成される。下側面取り部２５ｅは、断面円弧形でありその曲率半径はＲ１である。上側面取り部２５ｆは、断面円弧形であり、その曲率半径は、下側面取り部２５ｅの曲率半径Ｒ１より大きいＲ２である。これによって、後述のように、下側フィン２４の前端に前側から向かう空気流を下側フィン２４の上側に流しやすい。
【００２５】
一方、図２、図３に二点鎖線で示すように、上側及び下側フィン２１，２４のそれぞれの２つの主面２２ａ、２２ｂ、２５ａ、２５ｂが略車両前後方向に向くように各フィン２１，２４が回動することで、各開口部２０はほぼ閉鎖される。この状態で、上側フィン２１の下端部と下側フィン２４の上端部とは、車両前後方向に重なっている。各フィン２１，２４の２つの主面２２ａ、２２ｂ、２５ａ、２５ｂのうち、各開口部２０の閉鎖状態で前側を向く一方の主面２２ａ、２５ａの内側部分は、軽量化のために肉抜きされる。これとともに、一方の主面２２ａ、２５ａの肉抜きされた部分には、剛性を上げるための斜格子状のリブ２３，２６が形成される。これにより、図１Ｂに示すように各開口部２０の閉鎖状態では、各フィン２１，２４の一方の主面２２ａ、２５ａに形成されたリブ２３，２６が、グリルシャッター１０の前側面に見られる。各開口部２０の閉鎖状態で、前側バンパ１０２（図２）の開口１０５からの走行風は、グリルシャッター１０でほぼ遮断される。このため、車両の空力性能を高くできる。なお、図２、図３に示すように、下側開口部２０ｂの閉鎖状態で、下側フィン２４の下端とグリルシャッター１０の下端部との間には小さい隙間２７が形成されてもよい。一方、下側開口部２０ｂの閉鎖状態で、下側フィン２４の下端とグリルシャッター１０の下端部とを接触させることもできる。
【００２６】
電動モータの駆動は、車両に設けた制御部(図示せず)によって制御される。例えば、制御部は車両の速度が低い場合に、ラジエータ１００に走行風を多く通過させるために、各開口部２０を開放するように各フィン２１，２４を回転させる。また、制御部は車両の速度が高い場合に、ラジエータ１００における走行風の通過量を制限するために、各開口部２０を閉鎖するように各フィン２１，２４を回転させる。
【００２７】
さらに、グリルシャッター枠１２は、開口部２０の下端側に位置する下端板部１６（図２、図３）の上端面に形成された前方傾斜面３０と後方傾斜面３２とを含んでいる。前方傾斜面３０及び後方傾斜面３２は、グリルシャッター枠１２において、車両幅方向両側の２つの開口部２０の下端側に位置する下端板部１６の上端面に形成される。前方傾斜面３０は、この下端板部１６の上端面において、下側フィン２４による下側開口部２０ｂの閉鎖時に、下側フィン２４の下端に対向する位置を頂部Ｑ（図３）とし、この頂部Ｑより車両前側に形成される。前方傾斜面３０は、車両後方に向かうほど上側に傾斜する。これにより、前方傾斜面３０によって、後方に向かう空気流を下側から上側に多く流しやすい。また、前方傾斜面３０は、少なくとも下側回動軸Ｏ２の中心より前方に位置する。開口部２０の開放時において、前方傾斜面３０は、下側フィン２４の前方突出部２５ｃに対し下側に対向する。
【００２８】
後方傾斜面３２は、下端板部１６の上端面において、上記の頂部Ｑより車両後側に形成される。後方傾斜面３２は、この頂部Ｑから車両後方に向かうほど下側に傾斜する。これにより、グリルシャッター１０の開口部２０の下端面は、車両前後方向中間部を頂部とする山形に形成される。
【００２９】
上記のグリルシャッター１０によれば、開口部２０の開放時に、下側フィン２４の前端が上側フィン２１の前端より後側に位置し、かつ、下側フィン２４の後端が上側フィン２１の後端より後側に位置する。これにより、グリルシャッター１０より前方の下側から後方の上側に向かう空気流が下側フィン２４の前側部分及び上側フィン２１の後側部分で妨げられにくくなる。例えば、図３に矢印Ａ１で示すように、下側フィン２４より前方の下側から後方の後側に向かう空気流が上側フィン２１の前側部分で妨げられにくくなる。これとともに、図３に矢印Ａ２で示すように、上側フィン２１と下側フィン２４との間を通過して後方の上側に向かう空気流が、上側フィン２１の後側部分で妨げられにくくなる。これにより、下側フィン２４より上側に向けて後側に空気を流しやすい。
【００３０】
さらに、グリルシャッター枠１２の前方傾斜面３０（図２、図３）によって、後方に向かう空気流を下側から上側に多く流しやすい。さらに、下側フィン２４の上側面取り部２５ｆの曲率半径Ｒ２が下側面取り部２５ｅの曲率半径Ｒ１より大きい。これにより、図４に矢印γで示すように、下側フィン２４の前端に前側から向かう空気流を下側フィン２４の上側に流しやすい。このため、グリルシャッター１０より前方の下側から後方の上側に向かう空気流の進路の妨害が抑制される。このとき、図３に示すように、開口部２０の開放時の領域を上側フィン２１より上側の第１領域Ｓ１、上側フィン２１と下側フィン２４との間の第２領域Ｓ２、下側フィン２４より下側の第３領域Ｓ３と分けた場合を考える。この場合に、第２領域Ｓ２から真後ろに向かう空気流と、第２領域Ｓ２から後方の上側に向かう空気流とを多くできる。したがって、グリルシャッター１０の後側に配置され、エンジンの冷却に用いられるラジエータ１００（図１）の上側部分の冷却性を高くできるので、エンジンの冷却性を高くできる。
【００３１】
図５（ａ）は、比較例のグリルシャッター１０ａを車両に配置した状態における断面図であり、図５（ｂ）は、図５（ａ）のＤ部拡大図である。比較例の構成では、上記の実施形態と異なり、グリルシャッター１０ａは、グリルシャッター枠４０の開口部４１の上側開口部４１ａ及び下側開口部４１ｂを開閉するように、上側フィン４４及び下側フィン４７がグリルシャッター枠４０に回動可能に支持される。下側フィン４７が図５（ａ）の二点鎖線で示すように下側開口部４１ｂを閉鎖する方向に回動した状態で、グリルシャッター枠４０の下端部は、下側フィン４７の下端部の後側に対向する。このグリルシャッター枠１２の開口部４１の下端側に位置する部分であって、開口部４１の閉鎖時に下側フィン４７の下端の後側に対向する部分の上面４０ａは、水平面状である。
【００３２】
グリルシャッター枠１２の真下には、車体に固定された樹脂板５０が配置され、下側フィン４７が開口部４１を閉鎖するように図５（ａ）の二点鎖線で示す位置に移動した状態で、樹脂板５０の水平面状の平面部５１の上面に下側フィン４７の下端が対向する。この樹脂板５０の平面部５１より前側の位置には、前方に向かって下側に傾斜する前側傾斜板部５２が形成される。さらに、車体において、前側傾斜板部５２の前側に位置する部分には、断面矩形のクロスメンバー５４が車幅方向（図５（ａ）の紙面の表裏方向）に沿って配置される。図５（ａ）では、実線で示す前側傾斜板部５２とクロスメンバー５４との一部が重なる図を示しているが、実際には、前側傾斜板部５２の前側部分はクロスメンバー５４により後側に押されて、より下側に傾斜している。さらに、グリルシャッター枠４０の下端部と樹脂板５０の平面部５１との間には、車幅方向に長尺な直方体状のスポンジ部材５５が挟まっている。
【００３３】
また、グリルシャッター枠４０の開口部４１の開放時に、下側フィン４７の前端は上側フィン４４の前端より前側に位置し、かつ、下側フィン４７の後端は上側フィン４４の後端と前後方向においてほぼ同じ位置にある。このような比較例では、図５（ａ）に矢印Ｂ１で示すようにグリルシャッター１０ａより前方の下側から後方の上側に向かう空気流が下側フィン４７の前端部で妨げられやすい。このため、下側フィン４７の上側を流れる空気流が実施形態に比べて少なくなりやすい。
【００３４】
さらに、下側フィン４７が図５（ａ）の実線で示すように下側開口部４１ｂを開放するように回動した状態で、図５（ｂ）に示すように、下側フィン４７の前端部の断面形状は、上下方向両側部分が水平面に対し対称な台形状となっている。これにより、下側フィン４７の前端部に前側から向かう空気流は、図５（ｂ）に矢印で示すように上下両側にほぼ均等に流れやすい。これによっても、下側フィン４７の上側を流れる空気流が実施形態に比べて少なくなりやすい。このため、比較例では、下側フィン４７の上側から、グリルシャッター１０ａの後側に位置するラジエータに向かう空気流が少なくなるので、ラジエータの上側部分の冷却性を高くする面から改良の余地がある。上記の実施形態によれば、このような不都合を解消できる。
【００３５】
なお、上記の実施形態では、グリルシャッター枠１２が車幅方向に分かれた２つの開口部２０を持つ場合を説明した。一方、グリルシャッター枠が開口部として車幅方向に長い１つの開口部のみを持ち、車幅方向に長い上側フィンと下側フィンとでその開口部が開閉されるようにしてもよい。また、グリルシャッター枠の開口部は、最上端の上側フィンと、最下端の下側フィンと、上側フィン及び下側フィンの間に配置される１つ以上の中間フィンとで、開閉される構成としてもよい。
【００３６】
また、上記の実施形態では、車両がハイブリッド車両であり、ラジエータ１００の上側部分をエンジンの冷却に使用し、下側部分を電気駆動系の要素の冷却に使用する場合を説明した。一方、車両は、ハイブリッド車両またはハイブリッド車両以外の車両とし、ラジエータの全体をエンジンの冷却のために使用してもよい。この場合でも、上記の実施形態のグリルシャッターの構成を採用することにより、ラジエータの上側部分の冷却性が不足することを抑制できる。
【符号の説明】
【００３７】
１０，１０ａ  車両用グリルシャッター（グリルシャッター）、１２  グリルシャッター枠、１３  仕切り部、１４  柱部、１４ａ  内部空間、１５  柱部、１６  下端板部、２０  開口部、２０ａ  上側開口部、２０ｂ  下側開口部、２１  上側フィン、２２ａ，２２ｂ  主面、２２ｃ  前方突出部、２２ｄ  後方突出部、２３  リブ、２４  下側フィン、２５ａ，２５ｂ  主面、２５ｃ  前方突出部、２５ｄ  後方突出部、２５ｅ  下側面取り部、２５ｆ  上側面取り部、２６  リブ、２７  隙間、３０  前方傾斜面、３２  後方傾斜面、４０  グリルシャッター枠、４０ａ  上面、４１  開口部、４１ａ  上側開口部、４１ｂ  下側開口部、４４  上側フィン、４７  下側フィン、５０  樹脂板、５１  平面部、５２  前側傾斜板部、５４  クロスメンバー、５５  スポンジ部材、５６  異物。
【図１Ａ】
2019104449.tif 000003
【図１Ｂ】
2019104449.tif 000004
【図２】
2019104449.tif 000005
【図３】
2019104449.tif 000006
【図４】
2019104449.tif 000007
【図５】
2019104449.tif 000008